(57)【要約】【解決する課題】車椅子に座した被介護者の身体状態に合わせて、背面から爪先まで被介護者の身体を十分に洗うことが出来るシャワー用車椅子を提供する。【課題を解決する手段】背もたれフレーム１２に上下に摺動する背もたれ部１１を挿嵌し、上下に回動可能なアームレスト１３を軸着して、座部中央に略Ｕ字型の開孔部を有する座部１４と、前部に上下に回動可能なフットレスト１７を有する車椅子１００とし、さらに、前記座部中央の略Ｕ字型の開孔部に取り外し可能なセンターパッドを装着したことを特徴とするシャワー用車椅子とした。【選択図】図１
2005040190.tif 000002
【特許請求の範囲】
【請求項１】
背もたれフレームに上下に摺動する背もたれ部を挿嵌し、上下に回動可能なアームレストを軸着して、座部中央に略Ｕ字型の開孔部を有する座部と、前部に上下に回動可能なフットレストを有する車椅子であって、前記座部中央の略Ｕ字型の開孔部に取り外し可能なセンターパッドを装着したことを特徴とするシャワー用車椅子。
【請求項２】
フットレストに水抜き用の孔が穿設されていることを特徴とする請求項１に記載のシャワー用車椅子。
【請求項３】
フットレストの裏面が弾力性のある部材で構成されていることを特徴とする請求項１又は請求項２のいずれかに記載のシャワー用車椅子。
【請求項４】
座部に水抜き用の孔が穿設されていることを特徴とする請求項１から請求項３のいずれかに記載のシャワー用車椅子。
【発明の詳細な説明】
【０００１】
【発明が属する技術分野】本発明は、体が不自由な人や介護が必要な老人が介護者に身体を洗ってもらう際に使用するためのシャワー用車椅子に関わる。
【０００２】
【従来の技術】体が不自由な人や介護が必要な老人等の被介護者が介護者の手助けによって、シャワーを浴びなければならない場合に、被介護者が楽しくシャワーを浴びることができると共に、介護者にとっても楽に被介護者の身体を洗うことができて、シャワーを浴びせられることができる車椅子があれば、被介護者は常に清潔な体を保つことができて、健康上望ましいものものである。このような目的のために、シャワー用の車椅子が種々考案されている。
【０００３】
例えば、特許文献１のシャワー用車椅子の構造は、第２頁段落（［０００３］）の２行目より、「車椅子の本体中央に空孔部を有する座部を取付けたシャワー用車椅子を提供するものであり、該座部は好ましくは前端部と後端部とは前上梁と後上梁とによって支持され、該前上梁の中間部は該座部直下に手が挿入出来るように下方へ湾曲されており、該後上梁の中間部は該座部の空孔部を避けて後方へ湾曲されており、そして該座部は好ましくは略Ｕ字状であって側方または後方に撥ね上げ可能にされており、更に座部の前下方には好ましくは前後摺動可能に足載せ台が配置されており、更に該座部後側には背もたれ部が配置され、該背もたれ部と該足載せ台には夫々フレームと、該フレームにはネットが張設されていることが好ましい。」構造をしている。
【０００４】
特許文献２におけるシャワー用椅子の構造は、風呂の段差を乗り越えるために、付け人が持ち運ぶ際に椅子を持ち上げるための折り畳みの取っ手を椅子の前後に取着して、前後の取っ手を二人の付け人が持って浴室に運べるようにしたことを特徴としている。
【０００５】
上記のように、従来のシャワー用車椅子又はシャワー用椅子は、座部の中央に空孔部が設けられていることは同様であるが、何れの椅子においても被介護者の身体を洗うためには、介護者にとっても被介護者にとっても十分なものではない。身体の不自由な人や介護を必要とする老人等の不自由な人の不自由な状態は夫々に異なっており、椅子に座した被介護者の身体状態に合わせて体を十分に洗うことが出来る車椅子の出現が望まれていた。
【０００６】
【特許文献１】特開平１０−３２３３７７号公報（第２頁段落［０００３］参照。）
【０００７】
【特許文献２】特願２００３−２４３８８号公報（第２頁「発明の詳細な説明」参照。）
【０００８】
【発明が解決する課題】本発明は上記事実に鑑みてなされたもので、車椅子に座した被介護者の身体状態に合わせて、背面から爪先まで被介護者の身体を十分に洗うことが出来るシャワー用車椅子を提供するものである。
【０００９】
【課題を解決するための手段】本発明者は介護人にも被介護人にも優しいシャワー用の車椅子を提供すべく、鋭意研究を重ねた。その結果、背もたれ部を上下に摺動させることができ、フットレストを上下に回動可能とすることによって、様々な被介護人に対応することが出来る上に、介護人には洗いやすい車椅子の創成に成功した。
【００１０】
本発明の課題を解決する手段は、背もたれフレームに上下に摺動する背もたれ部を挿嵌し、上下に回動可能なアームレストを軸着して、座部中央に略Ｕ字型の開孔部を有する座部と、前部に上下に回動可能なフットレストを有する車椅子であって、前記座部中央の略Ｕ字型の開孔部に取り外し可能なセンターパッドを装着したことを特徴とするシャワー用車椅子である。背もたれ部を上下に摺動させることによって、被介護者の背中を上下万遍なく洗うことが出来る。アームレストを上下に回動可能とすることによって、被介護者が車椅子に乗り降りするのが、楽になった。フットレストを上下に回動可能とすることによって、座った状態で、フットレストを上げるだけで被介護者の足の裏も洗い易くなる。座部中央部に略Ｕ字型の開孔部を設け、更にこの開孔部に取り外し可能なセンターパッドを装着したことによって、被介護者の状態に応じて、センターパッドを装着した状態や、センターパッドを取り外した状態で使用することができる。
【００１１】
本発明の課題を解決する別の手段は、フットレストに水抜き用の孔が穿設されていることを特徴とする請求項１に記載のシャワー用車椅子である。フットレストに水抜き用の孔を設けたことによって、足の下に汚れた水が貯まらずに気持ちよく足を載せておくことが出来る。
【００１２】
本発明の課題を解決する別の手段は、フットレストの裏面が弾力性のある部材で構成されていることを特徴とする請求項１又は請求項２のいずれかに記載のシャワー用車椅子である。フットレストの裏面を弾力性のある部材で構成することによって、フットレストを上げて使用した場合にフットレストの裏面が脹ら脛に当たる感触が良くなる。
【００１３】
本発明の課題を解決する別の手段は、座部に水抜き用の孔が穿設されていることを特徴とする請求項１から請求項３のいずれかに記載のシャワー用車椅子である。座部に水抜き用の孔を設けたことによって、体を洗浄した汚れた水が座部に貯まらずに気持ちよく座っていることができる。
【００１４】
【発明の実施の態様】以下に本発明のシャワー用車椅子の実施の態様を図面を用いて説明するが、本発明は以下の実施例に限定されるものではない。
【００１５】
本発明のシャワー用車椅子１００は図１の側面図、又は図２の正面図に示すように、背もたれ部１１を車椅子の背もたれフレーム１２を上下に摺動するように挿嵌する。さらに、上下に回動するようにアームレスト１３を背もたれフレーム１２に軸着する。座部１４は座部の中央に略Ｕ字型の開孔部２７（図５、６参照）を設け、略Ｕ字型の開孔部２７の側面にはセンターパッド２８を装着するために、連続した凹部２５を設けた。また、フットレスト１７はフットレスト支持フレーム３４に挿嵌して上下に回動可能とした。前記座部中央の略Ｕ字型の開孔部２７に取着する取り外し可能なセンターパッド２８の側面には、座部１４の略Ｕ字型の開孔部２７の側面に設けた連続した凹部２５に係着するための連続した凸部２９が設けられており、センターパッド２８は被介護者の状態や希望によって、取り外しが可能となっている。また、センターパッド２８を取り外した状態で、シャワー用車椅子１００の座部の下に便器を設置することも可能である。
【００１６】
本発明のシャワー用車椅子の背もたれ部１１は図３（Ａ）に示すように、背もたれ部１１の両側に背もたれフレーム１２に挿嵌する嵌着溝２４が設けられており、この嵌着溝２４を背もたれフレーム１２に挿嵌して、図４（Ｂ）、（Ｃ）に示す背もたれ部１１の両側に取着されたクイックレバー２２によって固定する。背もたれ部１１を上下させる時は、左右のクイックレバー２２を起こして、背もたれ部１１を背もたれフレーム１２に沿って上下に摺動させることにより上下任意の位置に調節できる。図４は背もたれ部１１の別形状の背もたれ部１１を示し、背もたれ部１１の上下に谷状の湾曲部を設けて、被介護者の背中の洗う範囲を広げたものである。
【００１７】
図５のＡは座部１４の上面からの形状を示し、図５のＢは側面の形状を示す。座部１４は座面の中央部に開孔部２７が設けられている。略Ｕ字型の開孔部２７の側面には連続する凹部が設けられており、センターパッド２８の連続する凸部２９が係合して、座部１４の座面に設けられた略Ｕ字型の開孔部２７を塞ぐことができる。図６のＡは別形状の座部１４とＢにその正面図を示す。座面の略Ｕ字型の開孔部２７の両側に水抜き孔２６を穿設して、座面に水が貯まらないようにしたものである。水抜き孔２６はこの位置に限られることなく、座面の角度に応じて変更してもよい。例えば、座面の後部が低くなるように傾斜している場合は、座面の奥に水抜き用の孔を穿設してもよい。
【００１８】
図７Ａは座部の略Ｕ字型開孔部に装着するセンターパッド２８の側面図と図７Ｂにセンターパッド２８の正面図を示す。センターパッド２８の表面形状は座部１４に取着した時に、被介護者に違和感を与えないために、座面と同一の高さ、形状となるようにすることが望ましい。センターパッド２８の側面に設ける連続した凸部２９は座部１４の略Ｕ字型の開孔部２７の側面に設けた連続した凹部２５に隙間のないように係合することが望ましい。
【００１９】
図８Ａはフットレスト１７の上面を示す。フットレスト１７の足裏が当接する面には、足が滑らず、不快感を与えない程度の多数の細かい凸部を設けたが、細かい格子状の溝を設けても良い。また、水が貯まらないようにフットレスト１７の後部に水抜き用の孔３１を設けることが望ましい。さらに、フットレスト１７の後部は踵が後に滑らないようにフットレスト１７の上面よりやや高くして踵当接部３０が設けられている。フットレスト１７の側面は図８Ｂに示すように、フットレスト１７は先端から後端にかけて傾斜して、後端が先端よりやや低くなっている。水抜き用の孔３１はこの後端の水が貯まりやすい位置に穿設されている。嵌挿孔３２は上下に回動するようにフットレスト支持フレーム３４に挿嵌する。図８Ｃにフットレスト１７の正面図を示す。図８Ｃに示すフットレスト１７の脹ら脛当接部３３は、被介護者がフットレスト１７を立てて、立ち上がった場合にフットレスト１７の裏面が被介護者の脹ら脛に当接しても痛くないように、また、違和感を与えないように若干凹面として、その表面に弾力性を持たせている。
【００２０】
図９は、フットレスト１７の正面図を示す。フットレスト１７は下部フレーム１９の内側に着設されたフットレスト支持管３５にフットレスト支持フレーム３４が前後に摺動できる様に嵌挿されている。被介護者が車椅子に移乗する際に、フットレストを奥に入れておくと、足下が広くなり移乗し易くなる。また、被介護者の足を洗う場合に、通常はフットレスト１７を立てた状態で足を洗うが、フットレスト１７を車椅子の奥に入れた状態で洗っても、フットレスト１７が邪魔にならず容易に足を洗うことができる。
【００２１】
図１０は、本発明のシャワー用車椅子１００の裏面を示す。フットレスト１７を上げた状態では図１０に示すように、車椅子の前面にフットレストの背面３３は弾力性のある素材で作成され、脹ら脛に当接しても違和感のないように湾曲している。フットレスト支持フレーム３４の下のネジの頭３６はフットレスト１７を前側に倒してフットレスト１７がフラットになった時にフットレスト１７の底部を受け止めるものである。
【００２２】
【発明の効果】本発明のシャワー用車椅子は、背もたれ部を上下に移動可能としたことによって、被介護者の背中を洗う場合に、被介護者は動かなくても背もたれ部を下げた状態で被介護者の背の上部を洗った後、背もたれ部を上げて背の下部を洗うことができる。さらに、アームレストを回動可能としたことによって、被介護者が車椅子に乗り降りする際に、アームレストを上げておくことによって楽に乗り降りすることができる。また、フットレストを上下に回動可能としたことによって、被介護者の足を洗う場合に、フットレストを上げることにより被介護者の足裏も簡単に洗うことができる。
【図面の簡単な説明】
【図１】シャワー用車椅子の側面図。
【図２】シャワー用車椅子の正面図。
【図３】背もたれ部の正面図。
【図４】別形状の背もたれ部の正面図。
【図５】座部の上面図。
【図６】別形状の座部の上面図。
【図７】センターパッドの側面図。
【図８】フットレストの上面図。
【図９】フットレストの前後移動を示す部分斜視図。
【図１０】フットレスト、座部の背面の部分斜視図。
【符号の説明】
１００：シャワー用車椅子
１１：背もたれ部
１２：背もたれ部フレーム
１３：アームレスト
１４：座部
１５：後部垂直フレーム
１６：前部垂直フレーム
１７：フットレスト
１８：前部キャスター
１９：下部フレーム
２０：後部キャスター
２１：把持部
２２：クイックレバー
２３：前部フレーム
２４：嵌着溝
２５：凹部
２６：水抜き孔
２７：開孔部
２８：センターパッド
２９：凸部
３０：踵当接部
３１：水抜き孔
３２：嵌挿孔
３３：脹ら脛当接部
３４：フットレスト支持フレーム
３５：フットレスト支持管
３６：フットレスト固定ネジ
【図１】
2005040190.tif 000003
【図２】
2005040190.tif 000004
【図３】
2005040190.tif 000005
【図４】
2005040190.tif 000006
【図５】
2005040190.tif 000007
【図６】
2005040190.tif 000008
【図７】
2005040190.tif 000009
【図８】
2005040190.tif 000010
【図９】
2005040190.tif 000011
【図１０】
2005040190.tif 000012